(57)【要約】【課題】従来のステイオンタブが力の弱い人や爪の短い人にとって開け難く、更に開栓時に反動で内容物が飛び出る事が有った。【解決手段】開栓レバー１６の回転軸となるリベット１５に角度が付けられている為、未開栓時は開栓レバー１６が缶上端よりはみ出す事も無く、開栓時に缶上端よりはみ出る為に力を掛け易く、更に缶蓋中心点２から回転軸をずらす事でリベット１５から長辺側端部２０までの距離もより長く取れ、開栓レバー１６を回転軸で回転させ開口部７に押し当てる事により、梃子の原理にて容易に開栓することが出来。開栓時の缶の動きも水平方向の回転となる為、内容物が飛び出し難い。【選択図】図１
2012091870.tif 000002
【特許請求の範囲】
【請求項１】
天板に涙滴形状の開栓スコアの直線部の一辺に隣接する位置に緩角度の傾斜を持つ緩傾斜面を設け、緩傾斜面の缶蓋中心点よりずらした位置に開けたリベット用穴に、開栓レバーをリベットにより回転可能な状態で取り付けられ、もう一方の開栓スコア直線部に未削部を残した事を特徴とする缶蓋に関する発明である。
【請求項２】
天板の開栓スコアに囲まれた開口部を緩やかな斜面を持つ凸状に成型し、開口部斜面が緩傾斜面の延長線上となるよう高さを調整して成型する。
【請求項３】
開栓レバーは概ね“へ”の字若しくは直線の板状を成し、開栓レバー取り付けリベット用穴を“へ”の字の屈曲部分若しくは開栓レバーの長辺側の中心より離れた場所に開け、開栓レバー取り付けリベット用穴から緩傾斜面に添って缶淵以内の長さにした長辺側に指掛け用の凹凸や切り欠きを設け、短辺側端部をリベット用穴から開栓スコア初綻部より短く、開栓スコア未削部までの距離よりも長くする。
【請求項４】
レバーに設けたリベット用の穴を、レバーの短辺方向にリベット直径と同じ幅の長円若しくは、開栓時に開栓スコアと接する短辺側端部を扇の要に相当する中心点とした扇形の長円とし、穴の長辺の長さをリベット頭部の直径より小さくする。
【請求項５】
補強リブ凸を開栓スコア未削部と隣接させる。
【発明の詳細な説明】
【技術分野】
【０００１】
本発明は、開口時に楽に開けられ中身のこぼれ難い開栓方法に関するものである。
【背景技術】
【０００２】
従来使用されているステイオンタブ式の缶蓋においては、タブの一端とパネル部との隙間に指先を挿入し、タブの一端を引き上げることによってタブの他端が押し下げられ、パネル部に設けられた開口部切り込みを破断させ開口していた。しかしながら、従来のステイオンタブ式の缶蓋の開口は、タブの一端と缶蓋のパネル部の隙間が狭く、指先がわずかしか挿入できないため指先に力が入りにくく特に力の弱い高齢者、女性、子供には開け辛く、爪を傷めやすかった。また、開栓時力を掛ける方向と開口部が同一の為、内容物が開口部から飛び出し易かった。更にタブと缶の結合部が破断してタブと缶が別々になる恐れがある為タブがゴミとして回収されない事がよくある。
【特許文献１】特開平７−１６５２３６号公報
【発明の開示】
【発明が解決しようとする課題】
【０００３】
解決しようとする問題点は、従来のステイオンタブが力の弱い人や爪の短い人にとって開け難く、更に開栓時に反動で内容物が飛び出る事が有った。
【０００４】
更に、リベット留めされたタブの固定部が複数回折り曲げられる事により破断し、缶とタブが別々になる事があった。
【課題を解決するための手段】
【０００５】
本発明は、上記の目的を達成する為に天板の凸状の開栓スコアと隣接する緩傾斜面に、回転可能にリベット留めされた板状の開栓レバーを回転させる事により短辺側端部が開栓スコア斜面に押し当てられ、梃子の原理によって開栓スコア部が緩傾斜面側より破断し、もう一方の開栓スコア直線部の未削部で折れ曲がり開口する。
【発明の効果】
【０００６】
本発明は、開栓レバー１６の回転軸となるリベット１５に角度が付けられている為、未開栓時は開栓レバー１６が缶上端よりはみ出す事も無く、開栓時に缶上端よりはみ出る為に力を掛け易く、更に缶蓋中心点２から回転軸をずらす事でリベット１５から長辺側端部２０までの距離もより長く取れ、開栓レバー１６を回転軸で回転させ開口部７に押し当てる事により、梃子の原理にて容易に開栓することが出来。開栓時の缶の動きも水平方向の回転となる為、内容物が飛び出し難い缶蓋を提供する事を目的としている。
【０００７】
開口部７を緩やかな開口部斜面８を持つ凸状に成型する事で、強度を確保しつつ天板の緩傾斜面３浅い角度でも開栓を可能にした。
【０００８】
タブに指先を引っ掛ける必要が無い為、爪を傷付ける事もない。また。回転軸が斜めになっているので、缶上端から開栓レバー１６がはみ出し指の腹側で力を掛け易くなる。  
【０００９】
開栓レバー１６のリベット用穴１７を扇形長円状取り付け用穴２１にする事で、開栓時に開栓レバー１６をスライドさせ天板１から浮かせ、親指や複数の指を開栓レバー１７に掛けやすくする事が出来るので、より楽に開栓出来る。
【００１０】
開栓作業が開栓レバー１６を回転軸で回転させ開口部斜面８に押し当てる方法であり、垂直方向の回転運動ではない為、開栓時に反動で内容物が飛び出る事もない。
【００１１】
リベット１５による回転軸の為開栓レバー１６が破断して缶と分離する事もない。 
【００１２】
補強リブ凸１４と開栓スコア未削部１２を隣接させ段差を作る事で、開栓スコア１６と開栓レバー１６への皮膚の挟み込みを防止出来る。  。
【００１３】
開栓作業による指の運動方向に開栓スコア６が無い為、切り口で指を怪我する危険が少ない。 
【産業上の利用可能性】
【００１４】
上記において説明したように本発明は容易に実施可能である。
【発明を実施するための最良の形態】
【００１５】
以下、添付図面に従って本発明の実施の形態について説明する。
図１は本発明の上面図であり、図２は側面図である。図３は天板の上面図であり図４は天板の側面図である。図５は開栓レバーの正面図であり、図６はａ−ａ´矢印の断面図、図７はｂ−ｂ´矢印の断面図である。図８は請求項４に記載した扇形長円のリベット用穴を持つ開栓レバーの上面図である。
【００１６】
これらの図において、１は天板であり２は缶蓋中心点、３は緩傾斜面で４はリベット用穴、５はレバー浮き上がり防止突起で、６は開栓スコア、７は開口部で８は開口部斜面、９は開栓スコア初綻部で１０は凸部、１１は開栓スコア直線部で１２は未削部、１３は補強リブ凹で１４は補強リブ凸、１５はリベットで１６は開栓レバー、１７は開栓レバー取り付け用穴で１８は指掛け用切り欠き、１９は短辺側端部である。
【００１７】
以下、本発明の実施の形態についての一例を説明する
まず、開栓レバー１６を緩傾斜面に回転可能な状態且つ開栓レバー１６の短辺側端部１９が開口部斜面８と隣接するようリベット１５にて取り付ける。その際指掛け用切り欠き１８に突起５がはまり開栓レバー１６の動きはある程度制限される。
【００１８】
尚、開栓レバー取り付け用穴１７から短辺側端部１９までの距離をＬ、リベット用穴４から未削部１２までの距離をＡとすると、Ｌ＞Ａとする。
【００１９】
上記構成による天板１に設けられた開口部７が開口するまでの動作を説明すれば、まず、開栓レバー１６が開口部斜面８と隣接する状態を開栓前とし開栓レバー１６の指掛け用切り欠きを押し出すようにリベット１５を中心に回転させる。
【００２０】
この時、開栓レバー取り付け用穴１７を扇形長円状取り付け用穴２１にする事で、開栓レバー１６が僅かにスライドして天板１よりはみ出る為、より指が掛け易くなる。
【００２１】
これによって短辺側端部１９が、開口部斜面８に乗り上げる形になり、開栓スコア初綻部９へと圧力が加わり開栓スコア６が破断し開栓できる。
【００２２】
その際、開栓レバー１６は突起５により短辺側端部１９を緩傾斜面３に押し付ける方向に力が掛かる事で、より強く開口部斜面８に力が伝わる。
【図面の簡単な説明】
【００２３】
【図１】回転レバー式開栓具の上面図
【図２】回転レバー式開栓具の側面図
【図３】天板の上面図
【図４】天板の側面図
【図５】開栓レバーの正面図
【図６】ａ−ａ´矢視断面図
【図７】ｂ−ｂ´矢視断面図
【図８】扇形長円状の開栓レバー取り付け用穴を持つ開栓レバーの正面図
【図９】開栓時の上面図
【符号の説明】
【００２４】
１    天板
２    缶蓋中心点
３    緩傾斜面
４    リベット用穴
５    突起
６    開栓スコア
７    開口部
８    開口部斜面
９    開栓スコア初綻部
１０    凸部
１１    開栓スコア直線部
１２    未削部
１３    補強リブ凹
１４    補強リブ凸
１５    リベット
１６    開栓レバー
１７    開栓レバー取り付け用穴
１８    指掛け用切り欠き
１９    短辺側端部
２０    長辺側端部
２１    扇形長円状開栓レバー取り付け用穴
【図１】
2012091870.tif 000003
【図２】
2012091870.tif 000004
【図３】
2012091870.tif 000005
【図４】
2012091870.tif 000006
【図５】
2012091870.tif 000007
【図６】
2012091870.tif 000008
【図７】
2012091870.tif 000009
【図８】
2012091870.tif 000010
【図９】
2012091870.tif 000011